(57)【要約】【課題】インバータ用配管配置構造において、インバータと車両前方構造体との間の空間を配管の配置のために利用すると共に、車両が受ける衝撃から配管を保護することを可能とすることである。【解決手段】車両の前方側には、サイドメンバー１６に固定されるインバータトレイ１８の上にインバータ４０が搭載され、車両前方構造体であるラジエータサポートアッパー１４にラジエータ１２が支持される。二股形状ブラケット２２は、根元部がラジエータサポートアッパー１４に固定され、二股部において分岐するそれぞれの先端がインバータ４０の上面に取り付け固定される。二股形状ブラケット２２の分岐した先端部と、インバータ４０の前方端面とによって周囲が囲まれた保護空間２８が形成され、この囲まれた保護空間２８に、インバータ用配管４４が通される。【選択図】図１
2009083582.tif 000002
【特許請求の範囲】
【請求項１】
車両の前方側に配置される車両前方構造体と、
前記車両前方構造体の後方側に車体に取り付けて配置されるインバータと、
前記車両前方構造体と前記インバータとの間の前方空間に通されるインバータ用配管と、
を備えることを特徴とするインバータ用配管配置構造。
【請求項２】
請求項１に記載のインバータ用配管配置構造において、
前記インバータ用配管は、
前記前方空間内であって、前記インバータと前記車体との相対位置を規制する規制手段によって囲まれた保護空間に通されることを特徴とするインバータ用配管配置構造。
【請求項３】
請求項２に記載のインバータ用配管配置構造において、
前記保護空間は、前記インバータを前記車体に接続するための複数の締結手段で囲まれた空間であることを特徴とするインバータ用配管配置構造。
【請求項４】
請求項２に記載のインバータ用配管配置構造において、
前記保護空間は、前記インバータを前記車体に接続するための二股形状ブラケットの二股形状で囲まれた空間であることを特徴とするインバータ用配管配置構造。
【請求項５】
請求項２に記載のインバータ用配管配置構造において、
前記保護空間は、前記インバータの筐体の複数の張出部分で囲まれた空間であることを特徴とするインバータ用配管配置構造。
【請求項６】
請求項１から請求項５のいずれか１に記載のインバータ用配管配置構造において、
前記インバータ用配管は、前記インバータの上方側から下方側に通されることを特徴とするインバータ用配管配置構造。
【請求項７】
請求項１から請求項５のいずれか１に記載のインバータ用配管配置構造において、
前記インバータ用配管は、前記インバータの前記上方側に設けられる冷却水リザーブタンクに一方端が接続されることを特徴とするインバータ用配管配置構造。
【請求項８】
請求項１から請求項５のいずれか１に記載のインバータ用配管配置構造において、
前記インバータ用配管は、前記インバータの前記下方側に設けられる冷却水循環ポンプに他方端が接続されることを特徴とするインバータ用配管配置構造。
【発明の詳細な説明】
【技術分野】
【０００１】
本発明はインバータ用配管配置構造に係り、特に、車両前方側にインバータが配置される場合のインバータ用配管配置構造に関する。
【背景技術】
【０００２】
ハイブリッド車両には、モータ・ジェネレータに接続される電源回路が配置される。特に、電源回路を構成するインバータは、高圧回路であり、作動により発熱するので、ケーブル及び冷却配管の取り扱いに工夫が要求される。
【０００３】
例えば、特許文献１には、ハイブリッド車でない車両をベース車としてハイブリッド車を製造する従来技術として、１２Ｖバッテリを車両後部のトランクルームに移し、ＰＣＵ（Ｐｏｗｅｒ  Ｃｏｎｔｒｏｌ  Ｕｎｉｔ）を１２Ｖバッテリが配置されていたバッテリトレイのところ、すなわち、車両前部のエンジンルームの中における後方（客室側）に配置することが述べられている。この場合、モータ・ジェネレータとラジエータはエンジンルームの前方側に配置される。そして、この従来技術では、ＰＣＵからモータ・ジェネレータまでのパワーケーブルの長さ、ＰＣＵからラジエータまでの冷却水管路の長さが長くなると述べられている。そこで、エンジンルームの前方側でエキゾーストマニホールドの反対側に傾斜してＰＣＵを配置することで、ＰＣＵからモータ・ジェネレータへの三相出力ケーブルの長さが短くなると共に、大きな曲率をもって配置でき、またＰＣＵと電動ウオータポンプ及びラジエータの冷却水パイプ長を短くできることが開示されている。
【０００４】
【特許文献１】特開２００４−８２９４０号公報
【発明の開示】
【発明が解決しようとする課題】
【０００５】
特許文献１の方法によれば、インバータを含むＰＣＵを車両前方側に配置することで、回路ハイブリッド車でない車両とハイブリッド車との車体構造等の共通化を図りながら、パワーケーブルの長さ、冷却水管路の長さを短くできる。
【０００６】
ところで、特許文献１の方法において、冷却水管路は、共に車両前方側に配置されるＰＣＵとラジエータを結ぶことを述べているが、インバータを含むＰＣＵと、ラジエータが配置される車両前方構造体との間の空間を配管の配置のために利用することについては述べていない。
【０００７】
本発明は、インバータと車両前方構造体との間の空間を配管の配置のために利用できるインバータ用配管配置構造を提供することである。また、他の目的は、インバータと車両前方構造体との間の空間を配管の配置のために利用すると共に、車両が受ける衝撃から配管を保護することを可能とするインバータ用配管配置構造を提供することである。
【課題を解決するための手段】
【０００８】
本発明に係るインバータ用配管配置構造は、車両の前方側に配置される車両前方構造体と、前記車両前方構造体の後方側に車体に取り付けて配置されるインバータと、前記車両前方構造体と前記インバータとの間の前方空間に通されるインバータ用配管と、を備えることを特徴とする。
【０００９】
また、本発明に係るインバータ用配管配置構造において、前記インバータ用配管は、前記前方空間内であって、前記インバータと前記車体との相対位置を規制する規制手段によって囲まれた保護空間に通されることが好ましい。
【００１０】
また、本発明に係るインバータ用配管配置構造において、前記保護空間は、前記インバータを前記車体に接続するための複数の締結手段で囲まれた空間であることが好ましい。
【００１１】
また、本発明に係るインバータ用配管配置構造において、前記保護空間は、前記インバータを前記車体に接続するための二股形状ブラケットの二股形状で囲まれた空間であることが好ましい。
【００１２】
また、本発明に係るインバータ用配管配置構造において、前記保護空間は、前記インバータの筐体の複数の張出部分で囲まれた空間であることが好ましい。
【００１３】
また、本発明に係るインバータ用配管配置構造において、前記インバータ用配管は、前記インバータの上方側から下方側に通されることが好ましい。
【００１４】
また、本発明に係るインバータ用配管配置構造において、前記インバータ用配管は、前記インバータの前記上方側に設けられる冷却水リザーブタンクに一方端が接続されることが好ましい。
【００１５】
また、本発明に係るインバータ用配管配置構造において、前記インバータ用配管は、前記インバータの前記下方側に設けられる冷却水循環ポンプに他方端が接続されることが好ましい。
【発明の効果】
【００１６】
上記構成により、インバータ用配管配置構造は、インバータ用配管が、車両前方構造体とインバータとの間の前方空間に通される。したがって、インバータと車両前方構造体との間の空間を配管の配置のために利用できる。
【００１７】
また、インバータ用配管配置構造において、インバータ用配管は、前方空間内であって、インバータと車体との相対位置を規制する規制手段によって囲まれた保護空間に通される。規制手段に囲まれた保護空間にインバータ用配管を配置することで、車両が受ける衝撃から配管を保護することができる。
【００１８】
また、インバータ用配管配置構造において、インバータを車体に接続するための複数のボルト締結手段で囲まれた保護空間にインバータ用配管が通される。これにより、接続のための部材を用いて、車両が受ける衝撃から配管を保護することができる。
【００１９】
また、インバータ用配管配置構造において、インバータを車体に接続する取り付けるための二股形状ブラケットの二股形状で囲まれた保護空間にインバータ用配管が通される。このように、接続部材を二股形状とすることで、車両が受ける衝撃から配管を保護することができる。
【００２０】
また、インバータ用配管配置構造において、インバータの筐体の複数の張出部分で囲まれた保護空間にインバータ配管が通される。これにより、インバータの筐体の構造を利用して、車両が受ける衝撃から配管を保護することができる。
【００２１】
また、インバータ用配管配置構造において、インバータ用配管は、インバータの上方側から下方側に通される。これにより、配管におけるエア抜き性が向上する。
【発明を実施するための最良の形態】
【００２２】
以下に図面を用いて本発明に係る実施の形態につき、詳細に説明する。以下では、インバータ筐体には、インバータ回路のほかに周辺素子が収納されるものとして説明するが、少なくともインバータ回路が収納されればよく、インバータ回路以外の電圧変換器等の回路が収納されるものとしてもよい。また、以下では、インバータよりも車両前方側にある車両前方構造体として、ラジエータサポートアッパーを説明するが、それ以外の車両構造体であってもよい。また、以下において、インバータ、冷却水リザーブタンク、冷却水循環ポンプ等の相対的配置関係は、説明のための例示であって、車両の具体的構造に適合するように変更することが可能である。また、以下では、インバータを冷却する冷媒を冷却水として説明するが、ここで冷却水とは広義で用いられ、水そのものの他に、他の成分を含むことができる。例えば、不凍液等を含むＬＬＣ（Ｌｏｎｇ  Ｌｉｆｅ  Ｃｏｏｌａｎｔ）等もここでいう冷却水に含まれる。
【実施例１】
【００２３】
図１、図２は、インバータ用配管配置構造１０を示す図である。図１は、車両の前方に配置されるエンジンルームの前方左側の部分を示す平面図で、ここでは、インバータ用配管配置構造１０の構成要素ではないが、ランプ６、バンパー８が示されている。図２は、車両の前方から見た正面図であるが、インバータ用配管配置構造１０に関連する要素のみを抜き出して示してある。
【００２４】
インバータ用配管配置構造１０は、インバータ４０の周辺において、インバータ４０を冷却する冷却水循環路を構成する要素である冷却水リザーブタンク４２、冷却水循環ポンプ４６、この両者を接続するインバータ用配管４４、ラジエータ１２等の配置を、車両の前方に配置される構造体であるラジエータサポートアッパー１４、サイドメンバー１６等の関係において定める構造である。
【００２５】
ラジエータ１２は、車両においてバンパー８のすぐ背後に配置される熱交換器で、フィンを有するラジエータ本体の内部に冷却水が循環し、車両前方からの空気を取り入れて、フィンを介して冷却水を冷却する機能を有する。
【００２６】
ラジエータサポートアッパー１４は、ラジエータ１２を枠状に支持する部材であるラジエータサポートの構成要素の１つで、特に車両においてラジエータ１２の上方に配置された梁状の部材である。ラジエータ１２は、その上部がこのラジエータサポートアッパー１４で支持されることになる。ラジエータサポートアッパー１４は、インバータ４０の前方に配置され、車両において最も前方に配置される車両構造体であるので、これを車両前方構造体と呼ぶことができる。
【００２７】
サイドメンバー１６は、車両の両側面に配置され、車体を構成する部材の１つである。図１では、車両の左側面に沿って配置されるものが図示されている。サイドメンバー１６には、車両を構成する様々な部材、要素が取り付けられ、あるいは接続される。ここでは、インバータ４０を乗せるインバータトレイ１８が、サイドメンバー１６に固定して取り付けられる様子が示されている。
【００２８】
インバータ４０あるいはインバータトレイ１８と、車両前方構造体であるラジエータサポートアッパー１４との間の前方空間２０は、従来技術においては余り利用されることが少ない空間である。その理由の１つは、車両が前方からの衝撃を受ける際に、インバータ４０が損傷しないように適当な空間を開けるためである。図１では、この前方空間２０に、インバータ用配管４４を、インバータ４０の上方から下方に向かって通すことで、この空間の有効利用を図っている。
【００２９】
インバータ４０は、図１では図示されていないモータ・ジェネレータに接続される電源回路を構成するインバータ回路を内蔵するユニットである。インバータ４０は、具体的には、インバータ筐体と、その内部に収納される電気部品とで構成される。電気部品の中で最も主要なものは上記のようにインバータ回路である。そのほかに、容量素子、容量素子を放電させるための抵抗素子、各種ハーネス等がインバータ筐体の中に収納される。インバータ回路は、周知のように、直流電力と交流電力との変換を行う回路で、例えば、２次電池等の直流電力を三相交流電力に変換してモータ・ジェネレータに駆動電力として供給し、あるいは逆にモータ・ジェネレータからの回生電力を直流電力に変換して２次電池等に充電電力として供給する機能を有する。
【００３０】
インバータ回路は作動によって発熱するので、インバータ筐体は、冷却水が循環できる構造を備えている。図１では、インバータ４０において、後述するように、冷却水循環ポンプ４６からの冷却水が供給される供給口と、ラジエータ１２に向かって温度が高くなった冷却水が排出される排出口が示されている。
【００３１】
インバータトレイ１８は、上記のように、サイドメンバー１６に固定して取り付けられ、インバータ４０が搭載される搭載台である。なお、ハイブリッド車両でない車両においては、このインバータトレイ１８に低電圧蓄電池、例えば１２Ｖバッテリが搭載される。換言すれば、一般車両において１２Ｖバッテリを搭載するトレイを、ハイブリッド車両ではインバータ４０を搭載するトレイとして転用したものである。これにより、ハイブリッド車両でない一般車両と、ハイブリッド車両との間で、車両構造を共通化することが可能となる。
【００３２】
冷却水リザーブタンク４２は、重力方向から見てインバータ４０の上方に配置され、インバータ用冷却水に一定の水頭圧を与えるためのタンクである。図１に示されるように、冷却水リザーブタンク４２において、冷却水入力側は、ラジエータ１２に接続され、冷却水出力側は、インバータ用配管４４に接続される。
【００３３】
インバータ用配管４４は、インバータ４０の上方から下方に向かって配置される配管で、特に、インバータ４０の前方と、車両前方構造体であるラジエータサポートアッパー１４の後方との間の空間である前方空間２０に配置される配管である。
【００３４】
従来技術では、インバータ用配管は、インバータ４０の側面側、すなわち図１の場合では、サイドメンバー１６側の側面に沿って配置されることが多い。この場合には、車両の側面の方向からの衝撃に対する配管保護が必要であるが、図１のように前方空間２０を利用してインバータ用配管４４を配置することで、車両の側面の方向からの衝撃に対する配管保護の考慮の必要性を少なくすることができる。
【００３５】
冷却水循環ポンプ４６は、重力方向から見てインバータ４０の下方に配置され、インバータ用冷却水を循環するための小型電動ポンプである。図１に示されるように、冷却水循環ポンプ４６において、冷却水入力側は、インバータ用配管４４に接続され、冷却水出力側は、図示されていない他の冷却を要する車両要素を経て、インバータ４０の冷却水供給口に接続される。他の冷却を要する車両要素としては、トランスアクスル、モータ・ジェネレータ等である。
【００３６】
ここで、インバータ用冷却水の循環径路をまとめると、ラジエータ１２によって冷却された冷却水は、冷却水リザーブタンク４２に入り、適当な水頭圧を与えられて、インバータ用配管４４を通って冷却水循環ポンプ４６に供給される。冷却水循環ポンプ４６では、適当な吐出圧が冷却水に与えられ、上記の例ではトランスアクスル、モータ・ジェネレータ等を冷却し、その後にインバータ４０の冷却水供給口に供給される。供給された冷却水はインバータ４０の内部を流れてインバータ回路等の熱を奪い、温度が高くなった冷却水は排出口からラジエータ１２に戻される。そしてラジエータ１２において空冷され、温度が下げられた冷却水は再び冷却水リザーブタンク４２に供給される。このように、冷却水の循環が繰り返される。
【００３７】
なお、上記のように、重力方向に対し、冷却水リザーブタンク４２を上方側に、冷却水循環ポンプ４６を下方側に配置し、その上下間にインバータ用配管４４を接続することで、冷却水循環径路におけるエア抜き性を向上させることができる。
【００３８】
図１において、二股形状ブラケット２２は、インバータ４０の上面と、車両前方構造体であるラジエータサポートアッパー１４の上面との間を接続する部材で、車両前方からの衝撃対し、インバータ用配管４４を保護する機能を有する。
【００３９】
図３は、二股形状ブラケット２２の詳細図である。二股形状ブラケット２２は、根元部２３と、立上接続部２４と、二股部２５とから構成される。根元部２３は、ラジエータサポートアッパー１４の上面に取り付け固定される部分で、二股部２５は、インバータ４０の上面に取り付け固定される部分である。立上接続部２４は、根元部２３と二股部２５とを接続する部分で、インバータ４０の上面と、ラジエータサポートアッパー１４の上面との間の高低差に相当する立上高さを有している。また、立上接続部２４は、車両が前方からの衝撃を受けたときに、ラジエータサポートアッパー１４とインバータ４０との間の距離が変化することに応じて容易に変形する程度の強度となるように、その幅寸法等設定される。したがって、二股形状ブラケット２２は、車両が前方から受ける衝撃を緩和してインバータ４０に伝達する機能も有している。
【００４０】
再び図１と図２に戻り、二股形状ブラケット２２は、根元部がラジエータサポートアッパー１４に固定され、二股部において分岐するそれぞれの先端がインバータ４０の上面に取り付け固定される。固定手段は、例えばボルト等を用いることができる。これによって、二股形状ブラケット２２の分岐した先端部と、インバータ４０の前方端面とによって周囲が囲まれた保護空間２８が形成される。この囲まれた保護空間２８に、インバータ用配管４４が通される。これによって、インバータ用配管４４は、二股形状ブラケット２２の分岐した先端部と、インバータ４０の前方端面によって周囲が保護される。例えば、車両が前方からの衝撃を受けても、車両前方構造体であるラジエータサポートアッパー１４が直接インバータ用配管４４に衝突することがなく、ラジエータサポートアッパー１４とインバータ４０との間にインバータ用配管４４が挟みこまれて損傷することが防止できる。
【００４１】
なお、二股形状ブラケット２２に代えて、図４に示す三股形状ブラケット２６のように、複数の分岐を有するブラケットを用いることもできる。これにより、保護空間２８の確保を強固にすることができる。
【実施例２】
【００４２】
上記では、二股形状ブラケットによって保護空間を形成した。車両が前方から受ける衝撃に対しインバータ用配管を保護する他の方法は、インバータと車両前方構造体とをしっかりした強度の部材で結合し、これにより保護空間を形成することである。図５、図６にそのような構造を示す。なお、以下では、図１、図２と同様の要素には同一の符号を付し、詳細な説明を省略する。また、以下では、図１、図２の符号を用いて説明する。
【００４３】
図５は、図１に対応するもので、エンジンルームの前方左側の部分を示す平面図である。図６は図２に対応するもので、車両の前方から見た正面図であり、インバータ用配管配置構造１０に関連する要素のみが抜き出して示してある。
【００４４】
図５、図６に示されるインバータ用配管配置構造１０において、図１、図２と異なるところは以下の通りである。すなわち、第１の相違点は、インバータ４０において、前方側面、すなわち、車両前方構造体であるラジエータサポートアッパー１４に向かい合う側面に、ボス３０が設けられる。このボス３０の上面の高さ方向の配置位置は、ラジエータサポートアッパー１４の上面の高さ位置と同じとすることが好ましい。第２の相違点は、ボス３０の上面と、ラジエータサポートアッパー１４の上面との間に、振れ止めブラケット３２が接続されることである。
【００４５】
振れ止めブラケット３２は、一方端がラジエータサポートアッパー１４の上面に固定され、他方端がインバータ４０のボス３０の上面に固定される部材で、車両が前方からの衝撃を受けたとき等に、インバータ４０がラジエータサポートアッパー１４に対し振れて回転することを抑制する機能を有する。したがって、好ましくは、振れ止めブラケット３２は、ラジエータサポートアッパー１４とボス３０との間を最短距離で接続固定することが好ましい。また、振れ止めブラケット３２は、車両が受ける衝撃に対し、変形をしない程度の十分な剛性を有することが好ましい。
【００４６】
振れ止めブラケット３２の配置は、図５に示されるように、サイドメンバー１６と振れ止めブラケット３２とで囲まれる空間にインバータ用配管４４が通されるようにすることが好ましい。その意味で、サイドメンバー１６と振れ止めブラケット３２とで囲まれる空間は、前方空間２０の中で、インバータ用配管４４を衝撃から保護する保護空間と呼ぶことができる。
【００４７】
このようにすることで、インバータ用配管４４は、この振れ止めブラケット３２とサイドメンバー１６とで形成される保護空間３８によって保護される。例えば、車両が前方からの衝撃を受けても、車両前方構造体であるラジエータサポートアッパー１４が直接インバータ用配管４４に衝突することがなく、ラジエータサポートアッパー１４とインバータ４０との間にインバータ用配管４４が挟みこまれて損傷することが防止できる。
【実施例３】
【００４８】
上記では、インバータと車両前方構造体との間に接続部材を設けて保護空間を形成した。車両が前方から受ける衝撃に対しインバータ用配管を保護する他の方法は、インバータの前方側面に前方に突き出す突起を設け、あるいは後方にくぼむくぼみを設け、これにより保護空間を形成することである。図７、図８にそのような構造を示す。なお、以下では、図１から図６と同様の要素には同一の符号を付し、詳細な説明を省略する。また、以下では、図１から図６の符号を用いて説明する。
【００４９】
図７は、図１、図５に対応するもので、エンジンルームの前方左側の部分を示す平面図である。図８は図２、図６に対応するもので、車両の前方から見た正面図であり、インバータ用配管配置構造１０に関連する要素のみが抜き出して示してある。
【００５０】
図７、図８に示されるインバータ用配管配置構造１０において、図１、図２と異なるところは以下の通りである。すなわち、第１の相違点は、インバータ４０において、前方側面、すなわち、車両前方構造体であるラジエータサポートアッパー１４に向かい合う側面に、インバータ４０をサイドメンバー１６に固定するための突起３４が設けられる。第２の相違点は、突起３４に接続するために、インバータトレイ１８と一体化した接続ブラケット３６が設けられることである。換言すれば、接続ブラケット３６は、サイドメンバー１６に固定接続される。
【００５１】
突起３４は、上記のようにインバータ４０の前方側面に設けられるが、少なくとも２つ、すなわち複数の突起３４がインバータ４０の前方側面に設けられる。なお、図７に示されるように、インバータ４０の後方にも突起３４を設けてもよい。
【００５２】
上記のように、インバータ４０に設けられる突起３４は、接続ブラケット３６を介してインバータ４０をサイドメンバー１６に固定する機能、すなわち、インバータ４０を車体に固定する機能を有する。さらに、インバータ４０の前方側面に設けられる複数の突起３４は、インバータ用配管４４を保護する保護空間３８を形成するための機能を有する。すなわち、複数の突起３４の間の空間を保護空間３８として、インバータ用配管４４はその間を通るように配置される。したがって、保護空間３８を形成できるように、各突起３４の車両前方に向かう突出量、および隣接する突起３４の間隔は、インバータ用配管４４の外径よりも十分大きな寸法とされる。
【００５３】
このようにすることで、インバータ用配管４４は、この突起３４とインバータ４０の前方側面とで形成される保護空間３８によって保護される。例えば、車両が前方からの衝撃を受けても、車両前方構造体であるラジエータサポートアッパー１４が直接インバータ用配管４４に衝突することがなく、ラジエータサポートアッパー１４とインバータ４０との間にインバータ用配管４４が挟みこまれて損傷することが防止できる。
【実施例４】
【００５４】
図７、図８の例では、インバータを車体に固定するための突起を利用して保護空間を形成した。インバータの前方側面に前方に突き出す突起を設け、あるいは後方にくぼむくぼみを設ける他の方法は、インバータ筐体のシールのための張出部を利用し、これに突起あるいはくぼみを設け、これにより保護空間を形成することである。図９、図１０にそのような構造を示す。なお、以下では、図１から図８と同様の要素には同一の符号を付し、詳細な説明を省略する。また、以下では、図１から図８の符号を用いて説明する。
【００５５】
図９は、図１、図５、図７に対応するもので、エンジンルームの前方左側の部分を示す平面図である。図１０は図２、図６、図８に対応するもので、車両の前方から見た正面図であり、インバータ用配管配置構造１０に関連する要素のみが抜き出して示してある。
【００５６】
図９、図１０に示されるインバータ用配管配置構造１０において、図１、図２と異なるところは以下の通りである。すなわち、インバータ４０において、前方側面、すなわち、車両前方構造体であるラジエータサポートアッパー１４に向かい合う側面に、インバータ筐体のシールのための張り出し、すなわち突起５０が設けられる。この突起５０は、インバータ４０を形成するために用いられるもので、図７、図８で説明した突起３４がインバータ４０を車体に固定するためのものであったことと、この点で相違する。
【００５７】
図１１は、インバータ４０の斜視図である。インバータ４０は、上下ほぼ同じ形状で、底部と側壁部とを有し、上方または下方に開口を有する箱状の部材を、開口を互いに合わせ、相互にかぶせるようにして、インバータ筐体が形成される。図１１では、上下の箱の合わせ面がフランジ状の張り出し部５１として示されている。そして、突起５０は、この張り出し部を部分的に外側に突き出した形状で設けられる。
【００５８】
図９、図１０に戻り、突起５０は、ラジエータサポートアッパー１４に向かい合う前方側面に２つ以上、すなわち複数設けられる。この突起５０には、穴が設けられ、この穴を利用し、適当な締結部材５４を用いて、インバータ筐体の上下の箱状部材が相互にシールされ固定される。
【００５９】
インバータ４０の前方側面に設けられる複数の突起５０は、インバータ用配管４４を保護する保護空間５２を形成するための機能を有する。すなわち、複数の突起３４の間の空間を保護空間５２として、インバータ用配管４４はその間を通るように配置される。したがって、保護空間５２を形成できるように、各突起５０の車両前方に向かう突出量、および隣接する突起５０の間隔は、インバータ用配管４４の外径よりも十分大きな寸法とされる。
【００６０】
このようにすることで、インバータ用配管４４は、この突起５０とインバータ４０の前方側面とで形成される保護空間５２によって保護される。例えば、車両が前方からの衝撃を受けても、車両前方構造体であるラジエータサポートアッパー１４が直接インバータ用配管４４に衝突することがなく、ラジエータサポートアッパー１４とインバータ４０との間にインバータ用配管４４が挟みこまれて損傷することが防止できる。
【００６１】
図１２、図１３は、その他の構成例を示す図である。以下では、図１から図１１の符号を用いて説明する。
【００６２】
突起は、インバータの前方側面だけでなく、シールに必要な箇所に設けることができる。図１２は、後方側面に突起５６を設けたインバータ４１の例を示す図である。図１２において破線で示した領域が、インバータ４１の内部収納空間の領域である。この場合、突起５０，５６は、インバータ４１において、インバータ筐体のシール性を確保する機能を有するが、さらに、インバータ４１の前方側面に設けられる複数の突起５０は、その間の空間が保護空間５２として機能する。インバータ用配管４４は、この保護空間５２を通るように配置される。
【００６３】
図１３は、インバータ６０の前方側面にくぼみ６４を設け、このくぼみ６４が保護空間となる例を示す図である。保護空間を形成できるように、このくぼみ６４のくぼみ量、および幅寸法は、インバータ用配管４４の外径よりも十分大きな寸法とされる。
【図面の簡単な説明】
【００６４】
【図１】本発明に係る実施の形態において、インバータ用配管配置構造を示す平面図である。
【図２】本発明に係る実施の形態において、インバータ用配管配置構造を示す正面図である。
【図３】本発明に係る実施の形態において、二股形状ブラケットを示す図である。
【図４】本発明に係る実施の形態において、三股形状ブラケットを示す図である。
【図５】他の実施の形態において、インバータ用配管配置構造を示す平面図である。
【図６】他の実施の形態において、インバータ用配管配置構造を示す正面図である。
【図７】別の実施の形態において、インバータ用配管配置構造を示す平面図である。
【図８】別の実施の形態において、インバータ用配管配置構造を示す正面図である。
【図９】さらに別の本発明に係る実施の形態において、インバータ用配管配置構造を示す平面図である。
【図１０】さらに別の実施の形態において、インバータ用配管配置構造を示す正面図である。
【図１１】さらに別の実施の形態において、インバータの斜視図である。
【図１２】インバータの他の形態の例を示す図である。
【図１３】インバータの別の形態の例を示す図である。
【符号の説明】
【００６５】
６  ランプ、８  バンパー、１０  インバータ用配管配置構造、１２  ラジエータ、１４  ラジエータサポートアッパー、１６  サイドメンバー、１８  インバータトレイ、２０  前方空間、２２  二股形状ブラケット、２３  根元部、２４  立上接続部、２５  二股部、２６  三股形状ブラケット、２８，３８，５２  保護空間、３０  ボス、３２  振れ止めブラケット、３４，５０，５６  突起、３６  接続ブラケット、４０，４１、６０  インバータ、４２  冷却水リザーブタンク、４４  インバータ用配管、４６  冷却水循環ポンプ、５１  張り出し部、５４  締結部材。
【図１】
2009083582.tif 000003
【図２】
2009083582.tif 000004
【図３】
2009083582.tif 000005
【図４】
2009083582.tif 000006
【図５】
2009083582.tif 000007
【図６】
2009083582.tif 000008
【図７】
2009083582.tif 000009
【図８】
2009083582.tif 000010
【図９】
2009083582.tif 000011
【図１０】
2009083582.tif 000012
【図１１】
2009083582.tif 000013
【図１２】
2009083582.tif 000014
【図１３】
2009083582.tif 000015